(57)【要約】【課題】キャップ装着状態の筆記具を陳列ケースや収納ケースに落下投入しても、キャップがペン先側より外れることを回避できる筆記具の収納構造を提供する。【解決手段】キャップ装着状態の筆記具２を縦置き状態で、上方に開口する陳列ケース５内部に収納する。キャップ装着状態の筆記具２が、キャップ４の開口端の外周部を、キャップ４開口端後方且つキャップ４開口端近傍の筆記具本体３の外周部より径方向外方に突出させる。陳列ケース５が、キャップ装着状態の筆記具２を縦置き状態で収納可能な、上方に開口した開口部５１を備える。陳列ケース５内部の底面から陳列ケース５の開口端までの高さをＡとし、キャップ装着状態の筆記具２のキャップ４開口端から筆記具２の尾端までの長さをＢとするとき、「Ｂ／Ａ≧１．０１」の関係を満足する。【選択図】  図２
0003148690.tif 000002
【実用新案登録請求の範囲】
【請求項１】
キャップ装着状態の筆記具を、縦置き状態で、上方に開口する陳列ケース内部に収納する筆記具の収納構造であって、前記キャップ装着状態の筆記具が、前記キャップの開口端の外周部を、キャップ開口端後方且つキャップ開口端近傍の筆記具本体の外周部より径方向外方に突出させ、前記陳列ケースが、前記キャップ装着状態の筆記具を縦置き状態で収納可能な、上方に開口した開口部を備え、前記陳列ケース内部の底面から陳列ケースの開口端までの高さをＡとし、キャップ装着状態の筆記具のキャップ開口端から筆記具の尾端までの長さをＢとするとき、
Ｂ／Ａ≧１．０１
の関係を満足することを特徴とする筆記具の収納構造。
【請求項２】
キャップ装着状態の筆記具を、両端が閉鎖された収納ケース内部に収納する筆記具の収納構造であって、前記キャップ装着状態の筆記具が、前記キャップの開口端の外周部を、キャップ開口端後方且つキャップ開口端近傍の筆記具本体の外周部より径方向外方に突出させ、前記収納ケースが、一端が開口され且つ他端が閉鎖された小径筒体と、前記小径筒体の開口部側の外面に装着される、一端が開口され且つ他端が閉鎖された大径筒体とからなり、前記収納ケースの小径筒体の内部の底面から小径筒体の開口端までの高さをＡとし、キャップ装着状態の筆記具のキャップ開口端から筆記具の尾端までの長さをＢとするとき、
Ｂ／Ａ≧１．０１
の関係を満足することを特徴とする筆記具の収納構造。
【請求項３】
キャップ装着状態の筆記具の全長をＣとするとき、
Ｃ／Ａ≦２
の関係を満足する請求項１または２記載の筆記具の収納構造。
【請求項４】
前記陳列ケースの開口端の内周部に傾斜面を形成した請求項１記載の筆記具の収納構造。
【請求項５】
前記小径筒体の開口端の内周部に傾斜面を形成した請求項２記載の筆記具の収納構造。
【考案の詳細な説明】
【技術分野】
【０００１】
本考案は、筆記具の収納構造に関する。
【背景技術】
【０００２】
特許文献１には、筆記具を縦置き状態で陳列ケース内部に収納する筆記具の収納構造が開示されている。
【０００３】
【特許文献１】特開平１０−５０８７号公報
【考案の開示】
【考案が解決しようとする課題】
【０００４】
前記従来の筆記具の収納構造において、キャップ装着状態の筆記具が、キャップの開口端の外周部を、キャップ開口端後方且つキャップ開口端近傍の筆記具本体の外周部より径方向外方に突出させるタイプの場合、前記キャップ装着状態の筆記具を、陳列ケースの開口部に落下投入すると、キャップの開口端が陳列ケースの開口端に衝突し、キャップが筆記具本体のペン先側より外れることがある。もし、キャップがペン先側より外れた状態で陳列ケース内部に保管されると、インキがペン先より蒸発したり、ペン先から空気が浸入して筆記不良となるおそれがある。
【０００５】
本考案は、前記従来の問題点を解決するものであって、キャップ装着状態の筆記具を陳列ケースや収納ケースに落下投入しても、キャップがペン先側より外れることを回避できる筆記具の収納構造を提供しようとするものである。尚、本考案で「キャップ装着状態」とは筆記具本体のペン先側にキャップを装着した状態をいう。尚、本考案における筆記具において「前」とはペン先側を指し、「後」とはその反対側を指す。
【課題を解決するための手段】
【０００６】
本考案は、キャップ装着状態の筆記具２を、縦置き状態で、上方に開口する陳列ケース５内部に収納する筆記具の収納構造であって、前記キャップ装着状態の筆記具２が、前記キャップ４の開口端の外周部を、キャップ４開口端後方且つキャップ４開口端近傍の筆記具本体３の外周部より径方向外方に突出させ、前記陳列ケース５が、前記キャップ装着状態の筆記具２を縦置き状態で収納可能な、上方に開口した開口部５１を備え、前記陳列ケース５内部の底面から陳列ケース５の開口端までの高さをＡとし、キャップ装着状態の筆記具２のキャップ４開口端から筆記具２の尾端までの長さをＢとするとき、「Ｂ／Ａ≧１．０１」の関係を満足すること（構成１）を要件とする。
【０００７】
前記構成１の筆記具の収納構造１は、前記陳列ケース５内部の底面から陳列ケース５の開口端までの高さＡと、キャップ装着状態の筆記具２のキャップ４開口端から筆記具２の尾端までの長さＢとが、「Ｂ／Ａ≧１．０１」の関係を満たすことにより、キャップ装着状態の筆記具２を、陳列ケース５の開口部５１に落下投入しても、キャップ４開口端が陳列ケース５の開口端に衝突することを回避でき、その結果、キャップ４がペン先側より外れることを防止できる。
【０００８】
また、本考案は、キャップ装着状態の筆記具２を、両端が閉鎖された収納ケース６内部に収納する筆記具の収納構造であって、前記キャップ装着状態の筆記具２が、前記キャップ４の開口端の外周部を、キャップ４開口端後方且つキャップ４開口端近傍の筆記具本体３の外周部より径方向外方に突出させ、前記収納ケース６が、一端が開口され且つ他端が閉鎖された小径筒体７と、前記小径筒体７の開口部７１側の外面に装着される、一端が開口され且つ他端が閉鎖された大径筒体８とからなり、前記収納ケース６の小径筒体７の内部の底面から小径筒体７の開口端までの高さをＡとし、キャップ装着状態の筆記具２のキャップ４開口端から筆記具２の尾端までの長さをＢとするとき、「Ｂ／Ａ≧１．０１」の関係を満足すること（構成２）を要件とする。
【０００９】
前記構成２の筆記具の収納構造１は、前記収納ケース６の小径筒体７の内部の底面から小径筒体７の開口端までの高さＡと、キャップ装着状態の筆記具２のキャップ４開口端から筆記具２の尾端までの長さＢとが、「Ｂ／Ａ≧１．０１」の関係を満たすことにより、キャップ装着状態の筆記具２を、上向きした小径筒体７の開口部７１に落下投入しても、キャップ４開口端が小径筒体７の開口端に衝突することを回避でき、その結果、キャップ４がペン先側より外れることを防止できる。
【００１０】
さらに、前記構成２の筆記具の収納構造１は、小径筒体７の外面に大径筒体８を装着し、両端を閉鎖した収納ケース６内部に、キャップ装着状態の筆記具２を収納させた状態において、前記収納ケース６に落下による衝撃や振動等が加わっても、収納ケース６内部の筆記具２のキャップ４開口端が小径筒体７の開口端に衝突することを回避でき、その結果、キャップ４がペン先側より外れることを防止できる。
【００１１】
また、前記構成１または２の筆記具の収納構造１において、キャップ装着状態の筆記具２の全長をＣとするとき、「Ｃ／Ａ≦２」の関係を満足すること（構成３）が好ましい。
【００１２】
前記構成３の筆記具の収納構造１は、キャップ装着状態の筆記具２を陳列ケース５内部に収納した際、筆記具２が適正な縦置き状態に維持される。もし、「Ｃ／Ａ＞２」の場合、キャップ装着状態の筆記具２を、陳列ケース５内部に適正に縦置き状態に維持することが困難となり、キャップ装着状態の筆記具２が転倒するおそれがある。
【００１３】
また、前記構成３の筆記具の収納構造１は、キャップ装着状態の筆記具２を、収納ケース６の小径筒体７の開口部７１を上向きにし、該小径筒体７内部に収納した際、筆記具２が適正に縦置き状態に維持される。もし、「Ｃ／Ａ＞２」の場合、キャップ装着状態の筆記具２を、収納ケース６の小径筒体７内部に適正に縦置き状態で維持することが困難となり、キャップ装着状態の筆記具２が転倒するおそれがある。
【００１４】
また、前記構成１の筆記具の収納構造１において、前記陳列ケース５の開口端の内周部に傾斜面５２を形成すること（構成４）が好ましい。
【００１５】
前記構成４の筆記具の収納構造１は、前記傾斜面５２により、キャップ装着状態の筆記具２を陳列ケース５の開口部５１に落下投入しても、キャップ４の開口端が陳列ケース５の開口端に激しく衝突することを回避でき、キャップ４がペン先側より外れることを、一層防止できる。尚、前記傾斜面５２は、例えば、テーパ面またはＲ曲面が挙げられる。
【００１６】
また、前記構成２の筆記具の収納構造１において、前記小径筒体７の開口端の内周部に傾斜面７２を形成すること（構成５）が好ましい。
【００１７】
前記構成５の筆記具の収納構造１は、前記傾斜面７２により、キャップ装着状態の筆記具２を小径筒体７の開口部７１に落下投入しても、キャップ４の開口端が小径筒体７の開口端に激しく衝突することを回避でき、キャップ４がペン先側より外れることを、一層防止できる。尚、前記傾斜面７２は、例えば、テーパ面またはＲ曲面が挙げられる。
【考案の効果】
【００１８】
本考案は、構成１により、キャップ装着状態の筆記具を、陳列ケースの開口部に落下投入しても、キャップがペン先側より外れることを防止できる。
【００１９】
本考案は、構成２により、キャップ装着状態の筆記具を、収納ケースの小径筒体の開口部に落下投入しても、キャップがペン先側より外れることを防止できる。さらに、本考案は、構成２により、両端を閉鎖した収納ケース内部に、キャップ装着状態の筆記具を収納した状態において、前記収納ケースに落下による衝撃や振動等が加わっても、キャップがペン先側より外れることを防止できる。
【００２０】
本考案は、構成３により、キャップ装着状態の筆記具を陳列ケース内部または収納ケースの小径筒体内部に収納した際、筆記具が適正に縦置き状態に維持される。
【００２１】
本考案は、構成４により、キャップ装着状態の筆記具を陳列ケースの開口部に落下投入しても、キャップがペン先側より外れることを、一層防止できる。
【００２２】
本考案は、構成５により、キャップ装着状態の筆記具を小径筒体の開口部に落下投入しても、キャップがペン先側より外れることを、一層防止できる。
【考案を実施するための最良の形態】
【００２３】
（第１の実施の形態）
図１及び図２に本考案の第１の実施の形態を示す。図１は、筆記具２を陳列ケース５内部に収納した状態を示す斜視図である。図２は、図１の縦断面図である。図１及び図２では、陳列ケース５内部に単一の筆記具２が収納された状態が描かれているが、実際には、複数本の筆記具２が陳列ケース５内部に収納される。
【００２４】
本実施の形態の筆記具の収納構造１は、筆記具２と、該筆記具２が収納される陳列ケース５とからなる。
【００２５】
前記筆記具２は、一端にペン先を備えた筆記具本体３と、該筆記具本体３のペン先側に装着されるキャップ４とからなる。前記キャップ４は一端が閉鎖され且つ他端が開口された筒体である。前記キャップ４の内面が、筆記具本体３のペン先側の外面に装着される。前記キャップ装着構造は、例えば、キャップ４の内周面の内向突起と筆記具本体３の外周面の外向突起とが、乗り越え嵌合する構造、または、前記キャップ４の内周面と筆記具本体３の外周面とが圧接嵌合する構造が挙げられる。
【００２６】
キャップ４をペン先側に装着した状態において、前記キャップ４の開口端の外周部が、キャップ４開口端後方且つキャップ４開口端近傍の筆記具本体３の外周部より径方向外方に突出される。
【００２７】
前記陳列ケース５は、上方に開口された複数の開口部５１を備える。前記開口部５１の形状は、本実施の形態では、４角形であるが、これ以外にも、円形状、楕円形状、多角形形状等が挙げられる。キャップ装着状態の筆記具２を陳列ケース５の開口部５１に収納した状態において、前記筆記具２の尾端が陳列ケース５内部の底面に当接するととともに、前記筆記具２のキャップ４側が、陳列ケース５の開口端の上方に突出される。前記陳列ケース５の開口部５１の内周縁部（即ち陳列ケース５の開口端の内周部）には、テーパ面よりなる傾斜面５２が形成される。
【００２８】
本実施の形態では、陳列ケース５内部の底面から陳列ケース５の開口端までの高さＡが、７８ｍｍに設定され、キャップ装着状態の筆記具２のキャップ４開口端から筆記具２の尾端までの長さＢが、８４ｍｍに設定される。そのため、「Ｂ／Ａ」の値が、１．０７７となり、「Ｂ／Ａ≧１．０１」の関係を満たす。それにより、キャップ装着状態の筆記具２を、陳列ケース５の開口部５１に落下投入しても、キャップ４開口端が陳列ケース５の開口端に衝突することを回避でき、その結果、キャップ４がペン先側より外れることを防止できる。
【００２９】
尚、Ｂ／Ａの値は、１．５以下（即ち「Ｂ／Ａ≦１．５」）が好ましい。それにより、キャップ装着状態の筆記具２を陳列ケース５内部に収納した際、筆記具２が適正に縦置き状態に維持される。
【００３０】
また、本実施の形態では、キャップ装着状態の筆記具２の全長Ｃが、１３６ｍｍに設定される。そのため、Ｃ／Ａの値が、１．７４となり、「Ｃ／Ａ≦２」の関係を満たすことにより、キャップ装着状態の筆記具２を陳列ケース５内部に収納した際、筆記具２が適正に縦置き状態に維持される。尚、前記Ｃ／Ａの値は、１．３以上（即ち「１．３≦Ｃ／Ａ」）であることが好ましい。それにより、キャップ装着状態の筆記具２を陳列ケース５内部に収納した際、陳列ケース５の開口端より上方にキャップ４が十分に突出され、筆記具２を視認しながら容易に取り出すことができる。
【００３１】
（第２の実施の形態）
図３及び図４に本考案の第２の実施の形態を示す。図３は、大径筒体８を小径筒体７から取り外し、上方に開口された小径筒体７の内部にキャップ装着状態の筆記具２を収納した状態を示す。図４は、両端が閉鎖された収納ケース６の内部に筆記具２を収納した状態を示す。図３及び図４では、収納ケース６内部に単一の筆記具２が収納された状態が描かれているが、実際には、複数本の筆記具２が収納ケース６内部に収納される。
【００３２】
本実施の形態の筆記具の収納構造１は、筆記具２と、該筆記具２が収納される収納ケース６とからなる。
【００３３】
前記筆記具２は、一端にペン先を備えた筆記具本体３と、該筆記具本体３のペン先側に装着されるキャップ４とからなる。前記キャップ４は一端が閉鎖され且つ他端が開口された筒体である。前記キャップ４の内面が、筆記具本体３のペン先側の外面に装着される。前記キャップ装着構造は、例えば、キャップ４の内周面の内向突起と筆記具本体３の外周面の外向突起とが、乗り越え嵌合する構造、または、前記キャップ４の内周面と筆記具本体３の外周面とが圧接嵌合する構造が挙げられる。
【００３４】
キャップ４をペン先側に装着した状態において、前記キャップ４の開口端の外周部が、キャップ４開口端後方且つキャップ４開口端近傍の筆記具本体３の外周部より径方向外方に突出される。
【００３５】
前記収納ケース６は、一端が開口され且つ他端が閉鎖された小径筒体７と、前記小径筒体７の開口部７１側の外面に装着される、一端が開口され且つ他端が閉鎖された大径筒体８とからなる。前記小径筒体７の開口部７１の外面に、前記大径筒体８の開口部８１の内面を装着することにより、収納ケース６は、両端が閉鎖された状態となる。前記収納ケース６の小径筒体７の外面と大径筒体８の内面との装着構造は、螺合、乗り越え嵌合、圧接嵌合等、いずれであってもよい。前記収納ケース６の小径筒体７の開口部７１の内周縁部（即ち小径筒体７の開口端の内周部）には、Ｒ曲面よりなる傾斜面７２が形成される。
【００３６】
キャップ装着状態の筆記具２を、収納ケース６の小径筒体７の上向きの開口部７１に縦置き状態で収納した状態において、前記筆記具２のキャップ４側が、小径筒体７の開口端の上方に突出され、前記筆記具２の尾端が小径筒体７内部の底面に当接される。本実施の形態の前記収納ケース６の小径筒体７及び大径筒体８の開口部８１の形状は、円形状であるが、これ以外にも、楕円形状、多角形形状等、いずれであってもよい。
【００３７】
本実施の形態では、小径筒体７内部の底面から収納ケース６の開口端までの高さＡが、８０ｍｍであり、キャップ装着状態の筆記具２のキャップ４開口端から筆記具２の尾端までの長さＢが、８４ｍｍである。そのため、「Ｂ／Ａ」の値が、１．０５となり、「Ｂ／Ａ≧１．０１」の関係を満たす。それにより、キャップ装着状態の筆記具２を、収納ケース６の小径筒体７の上向きの開口部７１に落下投入しても、キャップ４開口端が小径筒体７の開口端に衝突することを回避でき、その結果、キャップ４がペン先側より外れることを防止できる。
【００３８】
尚、Ｂ／Ａの値は、１．５以下（即ち「Ｂ／Ａ≦１．５」）が好ましい。それにより、収納ケース６の小径筒体７の開口部７１を上向きにし、前記小径筒体７内部にキャップ装着状態の筆記具２を収納した際、前記筆記具２が適正に縦置き状態に維持される。
【００３９】
また、本実施の形態では、キャップ装着状態の筆記具２の全長Ｃが、１３６ｍｍに設定される。そのため、「Ｃ／Ａ」の値が、１．７となり、「Ｃ／Ａ≦２」の関係を満たす。それにより、キャップ装着状態の筆記具２を開口部７１を上向きにした小径筒体７内部に収納した際、筆記具２が適正に縦置き状態に維持される。尚、前記Ｃ／Ａの値は、１．３以上（即ち「１．３≦Ｃ／Ａ」）であることが好ましい。それにより、キャップ装着状態の筆記具２を収納ケース６の小径筒体７内部に収納し、小径筒体７から大径筒体８を取り外した際、小径筒体７の開口端より上方にキャップ４が十分に突出され、筆記具２を視認しながら容易に取り出すことができる。
【図面の簡単な説明】
【００４０】
【図１】本考案の第１の実施の形態を示す斜視図である。
【図２】図１の縦断面図である。
【図３】本考案の第２の実施の形態を示す斜視図である。
【図４】図３の小径筒体から大径筒体を外した状態の縦断面図である。
【符号の説明】
【００４１】
１  筆記具の収納構造
２  筆記具
３  筆記具本体
４  キャップ
５  陳列ケース
５１  開口部
５２  傾斜面
６  収納ケース
７  小径筒体
７１  開口部
７２  傾斜面
８  大径筒体
８１  開口部
Ａ  陳列ケース内部の底面から陳列ケースの開口端までの高さ、または収納ケースの小径筒体内部の底面から小径筒体の開口端までの高さ
Ｂ  キャップ装着状態の筆記具のキャップ開口端から筆記具の尾端までの長さ
Ｃ  キャップ装着状態の筆記具の全長
【図１】
0003148690.tif 000003
【図２】
0003148690.tif 000004
【図３】
0003148690.tif 000005
【図４】
0003148690.tif 000006